(57)【要約】【課題】  樹木への装着が簡単で、かつ、牽引中にワイヤが樹木から外れてしまうのを防ぐことが可能な伐採用ワイヤ取付け装置を提供する。【解決手段】  伐採用ワイヤ取付け装置１は、樹木Ｗの幹の外周に装着されるワイヤ取付けユニット２と、ワイヤ取付けユニット２を樹木Ｗの幹の上部へ装着するための設置棒３とを備える。ワイヤ取付けユニット２は、円弧状に湾曲させて樹木Ｗの幹の外周へ装着するための開口部２１１を形成した本体部２１を有し、開口部２１１は、設置棒３を軸回りで回転させることによって開閉部材２２が移動することにより開閉される。【選択図】  図１
2019208399.tif 000002
【特許請求の範囲】
【請求項１】
収容空間を有する筒状体を円弧状に湾曲させて樹木の幹の外周へ装着するための開口部を設けた本体部と、
前記収容空間に挿通された円弧形状の開閉部材と、
前記開閉部材を前記本体部に収容して前記開口部を開放する開放位置と、前記開閉部材を前記本体部から突出させて前記開口部を閉塞する閉塞位置との間で移動させる開閉機構と、
前記開閉部材を前記閉塞位置でロックするロック部材と、
前記本体部が装着された樹木を伐採する際に、前記樹木を所定の方向へ倒すために牽引されるワイヤが着脱自在なワイヤ接続部と、
を備えるワイヤ取付けユニットと、
前記ワイヤ取付けユニットを樹木の幹の上部へ装着するために、前記ワイヤ取付けユニットに着脱自在に取り付けられる設置棒と、
を備えることを特徴とする伐採用ワイヤ取付け装置。
【請求項２】
前記開閉機構は、前記開閉部材の外側面に設けられた従動ギヤと、前記従動ギヤに噛合する駆動ギヤと、前記ワイヤ取付けユニットを樹木の幹の上部へ装着するために前記設置棒を把持した作業者がその手元側で前記駆動ギヤを操作するための操作手段と、
を含むことを特徴とする請求項１に記載の伐採用ワイヤ取付け装置。
【請求項３】
前記操作手段は、前記ワイヤ取付けユニットに軸周りで回転自在に装着される前記設置棒と、前記設置棒の回転を前記駆動ギヤに伝達する伝達部材と、
を含むことを特徴とする請求項２に記載の伐採用ワイヤ取付け装置。
【請求項４】
前記ワイヤ接続部の上方には、前記ワイヤの先端フックに連結されたロープが挿通されるロープ挿通部が設けられており、前記設置棒を利用して前記ワイヤ取付けユニットを樹木の幹の上部へ装着した後、前記ロープを牽引して前記先端フックを前記ワイヤ接続部の上方まで引き上げて前記ワイヤ接続部へ接続できるようにした、
ことを特徴とする請求項１ないし３のいずれか１項に記載の伐採用ワイヤ取付け装置。
【請求項５】
前記本体部は、前記ワイヤによって牽引される牽引方向と反対側の方向の内周面に樹木に食い込む突起が設けられ、かつ、前記牽引方向と略直行する方向に前記開口部が設けられている、
ことを特徴とする請求項１ないし４のいずれか１項に記載の伐採用ワイヤ取付け装置。
【請求項６】
前記設置棒は、軸方向に連結可能な複数本の短尺設置棒からなる、
ことを特徴とする請求項１ないし５のいずれか１項に記載の伐採用ワイヤ取付け装置。
【発明の詳細な説明】
【技術分野】
【０００１】
この発明は、伐採した樹木が安全な方向へ倒れるように牽引するためのワイヤを樹木に取り付ける伐採用ワイヤ取付け装置に関する。
【背景技術】
【０００２】
成長した樹木が送電線と接触して事故が発生するのを防ぐため、山間部の送電線付近では樹木の伐採作業が行なわれている。この伐採作業では、伐採された樹木が送電線側へ倒れるのを防ぐために、作業者が梯子や昇柱器などを利用して樹木に登り、ロープの一端を樹木の幹に結び付け、地上からロープを牽引して安全に倒せる方向（伐倒方向）へ誘導している。また、幹が太い樹木や樹高の高い樹木などを牽引する際にロープでは強度が足りない場合には、ロープの代わりにワイヤを使用して、チルホールと呼ばれるウィンチを利用してワイヤを牽引することも行われている。
【０００３】
樹木を伐倒方向へ適切に誘導するには、ワイヤやロープを樹高の１／２以上の高さ位置に取り付けなければならない。そのため、樹高の高い樹木でのワイヤ取付け作業は危険を伴うことがある。特に偏心木などに昇るには、相当の熟練を要する。また、作業者の体重によって樹木が折れてしまう危険性もある。
【０００４】
このような、危険な作業を行なわずに樹木を伐倒方向へ誘導できるようにするために、地上から樹木の高所へロープやワイヤを取り付けられるようにした立木の転倒誘導装置が考案されている（例えば、特許文献１参照）。この転倒誘導装置は、樹木の幹を挟み込んで保持するための湾曲部を相対向させてハサミ型に交差し、この交差部において互いに枢着させた一対のフック部材と、これら一対のフック部材の相対回動を湾曲部側が閉じる方向に許容するが開く方向に阻止するラチェット機構と、フック部材を樹木の幹の上部へ装着するためにフック部材に着脱自在に取り付けられる取付棒と、一対のフック部材を閉じる方向に回動させ、かつ伐倒方向への牽引、誘導に利用する操作ロープとを備えている。すなわち、この転倒誘導装置では、取付棒を利用して一対のフック部材を樹木の高所まで持ち上げ、操作ロープにより一対のフック部材を閉じて樹木の幹を挟み込み、ラチェット機構によりフック部材が開くのを阻止し、操作ロープを牽引して樹木を伐倒方向へ牽引する。
【先行技術文献】
【特許文献】
【０００５】
【特許文献１】実開平０１−１１６０４２号公報
【発明の概要】
【発明が解決しようとする課題】
【０００６】
特許文献１の転倒誘導装置は、地上から一対のフック部材を操作した樹木の幹を挟み込むため、操作が難しい。また、フック部材がハサミのように開閉するため、フック部材の周囲に比較的大きな作業スペースが必要になり、枝が多い樹木や偏心木では、フック部材の十分な開閉スペースが確保できず、幹の適切な位置を挟み込むことができない場合が考えられる。さらに、樹木の幹を挟み込む構造では、操作ミスやラチェット機構の故障などでフック部材が開いてしまう可能性がある。例えば、伐採した樹木を牽引している際にフック部材による樹木の保持が外れてしまうと、樹木が伐倒方向以外に倒れて送電線事故や人身事故が発生する恐れがある。
【０００７】
そこでこの発明は、樹木への装着が簡単で、かつ、牽引中にワイヤが樹木から外れてしまうのを防ぐことが可能な伐採用ワイヤ取付け装置を提供することを目的とする。
【課題を解決するための手段】
【０００８】
上記課題を解決するために、請求項１の発明は、収容空間を有する筒状体を円弧状に湾曲させて樹木の幹の外周へ装着するための開口部を設けた本体部と、前記収容空間に挿通された円弧形状の開閉部材と、前記開閉部材を前記本体部に収容して前記開口部を開放する開放位置と、前記開閉部材を前記本体部から突出させて前記開口部を閉塞する閉塞位置との間で移動させる開閉機構と、前記開閉部材を前記閉塞位置でロックするロック部材と、前記本体部が装着された樹木を伐採する際に、前記樹木を所定の方向へ倒すために牽引されるワイヤが着脱自在なワイヤ接続部と、を備えるワイヤ取付けユニットと、前記ワイヤ取付けユニットを樹木の幹の上部へ装着するために、前記ワイヤ取付けユニットに着脱自在に取り付けられる設置棒と、を備えることを特徴とする伐採用ワイヤ取付け装置である。
【０００９】
この発明によれば、設置棒を把持してワイヤ取付けユニットを樹木の幹の上部へと持ち上げ、開口部を利用して樹木の幹が本体部内に収容されるように幹の外周へ装着する。次いで、開閉機構により開閉部材を開放位置から閉塞位置へ移動させて開口部を閉じる。その後、ワイヤを牽引してワイヤ取付けユニットを樹木に当接させた状態で、設置棒をワイヤ取付けユニットから取り外し、樹木の伐採中にワイヤを牽引して伐倒方向へ誘導する。
【００１０】
請求項２の発明は、請求項１に記載の伐採用ワイヤ取付け装置であって、前記開閉機構は、前記開閉部材の外周面に設けられた従動ギヤと、前記従動ギヤに噛合する駆動ギヤと、前記ワイヤ取付けユニットを樹木の幹の上部へ装着するために前記設置棒を把持した作業者が、その手元側で前記駆動ギヤを操作するための操作手段と、を含むことを特徴とする。
【００１１】
請求項３の発明は、請求項２に記載の伐採用ワイヤ取付け装置であって、前記操作手段は、前記ワイヤ取付けユニットに軸周りで回転自在に装着される前記設置棒と、前記設置棒の回転を前記駆動ギヤに伝達する伝達部材と、を含むことを特徴とする。
【００１２】
請求項４の発明は、請求項１ないし３のいずれか１項に記載の伐採用ワイヤ取付け装置であって、前記ワイヤ接続部の上方には、前記ワイヤの先端フックに連結されたロープが挿通されるロープ挿通部が設けられており、前記設置棒を利用して前記ワイヤ取付けユニットを樹木の幹の上部へ装着した後、前記ロープを牽引して前記先端フックを前記ワイヤ接続部の上方まで引き上げて前記ワイヤ接続部へ接続できるようにした、ことを特徴とする。
【００１３】
請求項５の発明は、請求項１ないし４のいずれか１項に記載の伐採用ワイヤ取付け装置であって、前記本体部は、前記ワイヤによって牽引される牽引方向と反対側の方向の内周面に、樹木に食い込む突起が設けられ、かつ、前記牽引方向と略直行する方向に前記開口部が設けられている、ことを特徴とする。
【００１４】
請求項６の発明は、請求項１ないし５のいずれか１項に記載の伐採用ワイヤ取付け装置であって、前記設置棒は、軸方向に連結可能な複数本の短尺設置棒からなる、ことを特徴とする。
【発明の効果】
【００１５】
請求項１の発明によれば、円弧状に湾曲させて開口部を形成した本体部を、その開口部を利用して樹木の幹の外周へ装着するようにしたので、ハサミのようなフック部材で樹木の幹を挟み込んで保持するようにした従来のものに比べて、より簡単に装着することができる。また、本体部に収容された円弧形状の開閉部材を開閉機構によって移動させて開口部を開閉するようにしたので、樹木の周囲に大きな作業スペースは不要であり、枝が多い樹木や偏心木であっても幹の適切な位置に装着することが可能である。さらに、開閉部材を閉塞位置でロックするロック部材を設けたので、樹木の牽引中に開閉部材が不用意に開放位置へ移動するのを防ぐことが可能である。また、ワイヤが着脱自在なワイヤ接続部を備えるので、樹木の大きさなどに応じて適切な太さ、長さのワイヤを接続することができ、伐採作業の安全性が向上する。さらにまた、ワイヤ取付けユニットを伐採される樹木の幹の上部へ装着するための設置棒を設けたので、樹高の高い樹木でも地上からワイヤを取り付けることが可能である。
【００１６】
請求項２の発明によれば、開閉機構として、開閉部材の外周面に設けられた従動ギヤと、従動ギヤに噛合する駆動ギヤと、設置棒を把持した作業者がその手元側で駆動ギヤを操作するための操作手段とを備えているので、地上から樹木の上部に装着されたワイヤ取付けユニットの開閉部材を操作することができ、伐採作業の安全性が向上する。また、従動ギヤ、駆動ギヤ、操作手段という簡略な部品を利用し、かつ、少ない部品数で構成されているので、故障などの発生も抑えることが可能である。
【００１７】
請求項３の発明によれば、操作手段として、ワイヤ取付けユニットに軸周りで回転自在に装着される設置棒と、設置棒の回転を駆動ギヤに伝達する伝達部材とから構成したので、設置棒を利用してワイヤ取付けユニットを樹木の幹の上部へ装着した後、そのまま設置棒から持ち替えることなく開閉部材の操作を行うことができ、作業性が大幅に向上する。
【００１８】
請求項４の発明によれば、ワイヤ接続部の上方に、ワイヤの先端フックに連結されたロープが挿通されるロープ挿通部を設け、このロープ挿通部を利用して、ワイヤ取付けユニットを樹木の幹の上部へ装着した後に先端フックをワイヤ接続部に接続できるようにしたので、ワイヤ取付けユニットを樹木の上部まで持ち上げる際には、ワイヤと選択フックとの重量分だけ軽減することが可能になり、作業性が大幅に向上する。
【００１９】
請求項５の発明によれば、本体部は、ワイヤによって牽引される牽引方向と反対側の方向の内周面に、樹木に食い込む突起が設けられているので、本体部を樹木の幹の外周面にしっかりと装着させることが可能である。また、牽引方向と略直行する方向に開口部が設けられているので、樹木の牽引中に開閉部材が移動して開口部が開放された場合でも、樹木が本体部から抜け出てしまうような事態は発生せず、伐採作業の安全性が向上する。
【００２０】
請求項６の発明によれば、設置棒を軸方向に連結可能な複数本の短尺設置棒から構成したので、樹高に応じて設置棒の長さを調整することができ、作業性、取り扱い性が向上する。
【図面の簡単な説明】
【００２１】
【図１】この発明の実施の形態に係る伐採用ワイヤ取付け装置の構成を示す外観斜視図である。
【図２】図１の伐採用ワイヤ取付け装置の上面図であり、（Ａ）は開閉部材２２が開放位置にある状態を示し、（Ｂ）は開閉部材２２が閉塞位置にある状態を示す。
【図３】図２（Ａ）のＡ−Ａ断面図である。
【図４】図１の伐採用ワイヤ取付け装置を樹木に装着した状態を示す斜視図であり、（Ａ）は開閉部材２２が開放位置にある状態を示し、（Ｂ）は開閉部材２２が閉塞位置にある状態を示す。
【図５】図１の伐採用ワイヤ取付け装置において、ロープを利用してワイヤ接続部にワイヤフックを接続する手順を示す説明図である。
【図６】図１の伐採用ワイヤ取付け装置を利用した伐採作業を示す説明図であり、（Ａ）は伐採用ワイヤ取付け装置を樹木に装着した状態を示し、（Ｂ）は根元に切り込みが設けられた樹木をワイヤで牽引する状態を示す。
【図７】図１の伐採用ワイヤ取付け装置の開閉機構を構成する操作手段として、スプロケットおよびチェーンを利用した例を示す側面図である。
【発明を実施するための形態】
【００２２】
以下、この発明を図示の実施の形態に基づいて説明する。
【００２３】
図１〜図６は、この発明の実施の形態を示す。図１は、この実施の形態の伐採用ワイヤ取付け装置１を示す外観斜視図、図２は、伐採用ワイヤ取付け装置１の上面図、図３は、図２（Ａ）のＡ−Ａ断面図、図４は、伐採用ワイヤ取付け装置１を樹木Ｗに装着した状態を示す斜視図である。
【００２４】
伐採用ワイヤ取付け装置１は、伐採した樹木が安全な方向へ倒れるように牽引するワイヤを樹木に取り付けるための装置であり、ワイヤ取付けユニット２と、設置棒３とを備える。ワイヤ取付けユニット２は、本体部２１と、開閉部材２２と、開閉機構２３と、ロック部材２４と、ワイヤ接続部２５とを備える。ワイヤ取付けユニット２は、例えば、十数メートル程度の比較的大きな樹木Ｗを牽引可能な強度を得るために、金属で形成されている。
【００２５】
本体部２１は、収容空間２１ａを有する角筒状の筒状体を開口部２１１が形成されるように円弧状に湾曲させ、この開口部２１１を利用して樹木Ｗの幹の外周へ装着可能になっている。すなわち、本体部２１は、略水平面に沿って湾曲された優弧（略Ｃ字状）形状をしており、円弧形状の一部が切り欠かれて形成された開口部２１１を利用して、略水平方向から樹木Ｗの幹の外周を本体部２１の内径部内に挿入するように装着される。
【００２６】
本体部２１の外周には、略垂直方向に沿って延設された円筒形状の筒状部２６が設けられている。筒状部２６には、その下方から設置棒３が回転自在に挿入される。
【００２７】
開閉部材２２は、本体部２１の収容空間２１ａに挿通された円弧形状の板状体である。開閉部材２２は、本体部２１の収容空間２１ａ内で移動可能な円弧形状、すなわち、本体部２１と略同一の中心軸を有する円弧形状をしており、図２（Ａ）および図４（Ａ）に示すように、本体部２１に収容されて開口部２１１を開放する開放位置と、図２（Ｂ）および図４（Ｂ）に示すように、本体部２１から突出されて開口部２１１を閉塞する閉塞位置との間で移動自在となっている。収容空間２１ａ内には、開閉部材２２を開放位置で停止させる開放位置ストッパ２１ｂと、閉塞位置で停止させる閉塞位置ストッパ２１ｃとが設けられている。
【００２８】
開閉機構２３は、開閉部材２２の外周面に設けられた従動ギヤ２２１と、従動ギヤ２２１に噛合する駆動ギヤ２３１と、設置棒３と、設置棒３の先端に設けられた伝達部材４とから構成されており、設置棒３と伝達部材４は、ワイヤ取付けユニット２を樹木の幹の上部へ装着するために設置棒３を把持した作業者が、その手元側で駆動ギヤ２３１を操作するための操作手段に相当する。
【００２９】
従動ギヤ２２１は、歯がのこぎり歯状をした、いわゆる爪歯車である。駆動ギヤ２３１は、筒状部２６内に回転自在に収容されており、従動ギヤ２２１と同様に爪歯車である。本体部２１の収容空間２１ａと、筒状部２６の内径部２６ａとは、図３に示すように内部でつながっており、従動ギヤ２２１と駆動ギヤ２３１は、そのつながった空間内で噛合している。
【００３０】
駆動ギヤ２３１は、その回転中心に、例えば六角形の係合孔２３１ａが設けられており、この係合孔２３１ａには、設置棒３の先端に設けられた六角棒状の伝達部材４が挿入される。設置棒３がその軸周りで時計方向に回転されると、その回転は伝達部材４を介して駆動ギヤ２３１に伝達される。駆動ギヤ２３１が時計方向に回転すると、これに噛合する従動ギヤ２２１によって開閉部材２２が開放位置から閉塞位置へと移動する。また、これとは逆に、設置棒３がその軸周りで反時計方向に回転されると、その回転は伝達部材４を介して駆動ギヤ２３１に伝達され、これに噛合する従動ギヤ２２１によって開閉部材２２が閉塞位置から開放位置へと移動する。
【００３１】
ロック部材２４は、開閉部材２２を閉塞位置でロックするために設けられている。ロック部材２４は、略中心部が本体部２１に回動自在に軸支されたロックレバー２４１と、ロックレバー２４１を付勢するバネ２４２とから構成されている。ロックレバー２４１の一端には、従動ギヤ２２１に係合する爪が設けられており、本体部２１の収容空間２１ａの出入口に対面している。ロックレバー２４１は、バネ２４２により、この一端側の爪が従動ギヤ２２１に係合する方向に付勢されている。
【００３２】
これにより、ロック部材２４は、従動ギヤ２２１が開放位置から閉塞位置へと向かう移動を許容し、かつ、閉塞位置から開放位置へと向かう移動を防ぐ。なお、開閉部材２２を閉塞位置から開放位置へ移動させる場合には、バネ２４２の付勢に抗してロックレバー２４１を回動させてロックを解除する。
【００３３】
ワイヤ接続部２５は、略Ｕ字状に湾曲させた金属棒からなり、筒状部２６の外周面、より詳しくは、筒状部２６の本体部２１と接する側とは反対側の外周面に水平方向に沿って設けられている。このワイヤ接続部２５には、図４（Ａ）に示すように、ワイヤ５の先端に設けられた先端フック６が着脱自在に接続され、ワイヤ５によるワイヤ取付けユニット２を介した樹木Ｗの牽引に利用される。
【００３４】
ワイヤ５によってワイヤ取付けユニット２を牽引する際には、図２（Ｂ）に示すように、本体部２１の円弧形状の中心と、ワイヤ接続部２５とを結ぶ方向Ｔが牽引方向となる。本体部２１には、この牽引方向Ｔと反対側の方向の内周面に、樹木Ｗに食い込む突起２１２が設けられている。また、本体部２１の開口部２１１は、牽引方向Ｔと略直行する方向に設けられている。したがって、ワイヤ５による樹木Ｗの牽引中に、操作ミスや故障などによって開閉部材２２が移動して開口部２１１が開放された場合でも、ワイヤ取付けユニット２が樹木Ｗから外れてしまうことはない。
【００３５】
ワイヤ接続部２５の上方には、ワイヤ５の先端フック６に連結されたロープが挿通されるロープ挿通部２７が設けられている。ロープ挿通部２７は、ワイヤ接続部２５と同様に略Ｕ字状に湾曲させた金属棒からなり、垂直方向に沿って設けられている。伐採される樹木Ｗを牽引する場合、樹高の１／２以上の高さ位置にワイヤ５を設置しなければならないが、ワイヤ接続部２５に先端フック６を接続した状態でワイヤ取付けユニット２を高所まで持ち上げるようにすると、ワイヤ５および先端フック６の重量によってその作業性が悪化し、最適な位置にワイヤ取付けユニット２を装着するのが難しくなる。ロープ挿通部２７は、このような作業性の悪化を防ぐため、ワイヤ取付けユニット２を樹木Ｗの幹の上部まで持ち上げてから先端フック６をワイヤ接続部２５に接続できるようにするために設けられている。
【００３６】
具体的には、図５（Ａ）に示すように、ロープ挿通部２７に先端フック６に連結されたロープ７を挿通した状態で、ワイヤ取付けユニット２を樹木Ｗの幹の上部まで持ち上げて装着する。その際に、ワイヤ取付けユニット２にワイヤ５の重量が掛からないようにロープ７の長さに余裕を持たせておくのが望ましい。次いで、同図（Ｂ）に示すように、ロープ７を牽引して先端フック６をワイヤ接続部２５の上方まで引き上げ、同図（Ｃ）に示すように、ロープ７の牽引を緩めてワイヤ５の牽引方向を調整することにより、先端フック６をワイヤ接続部２５の近傍まで移動させる。これにより、同図（Ｄ）に示すように、先端フック６をワイヤ接続部２５に接続させることができる。
【００３７】
設置棒３は、先端設置棒３１と、この先端設置棒３１に対し軸方向に連結可能な複数本の短尺設置棒３２とから構成されている。先端設置棒３１および短尺設置棒３２は、数十ｃｍ〜１ｍ程度の長さとなっており、樹木Ｗの樹高に応じて連結本数が調整される。
【００３８】
先端設置棒３１は、ワイヤ取付けユニット２に装着される設置棒であり、円筒状の棒本体と３１１と、棒本体３１１の先端に設けられた細径部３１２と、細径部３１２の先端に設けられた六角棒状の伝達部材４と、棒本体３１１の後端に設けられた被連結部３１３とを備える。複数本の短尺設置棒３２は、全て同じ形状をしており、円筒状の棒本体３２１と、棒本体３２１の先端に設けられた径の細い連結部３２２と、棒本体３２１の後端に設けられた被連結部３２３とを備える。先端設置棒３１の被連結部３１３と、短尺設置棒３２の被連結部３２３とは、同形状となっている。
【００３９】
先端設置棒３１は、細径部３１２がワイヤ取付けユニット２の筒状部２６に回転自在に挿入され、被連結部３１３に短尺設置棒３２の連結部３２２が挿入される。図３に示すように、連結部３２２には、外周面に対して挿脱自体とされたピン３２２ａと、ピン３２２ａを突出方向へ付勢する板バネ３２２ｂとが設けられており、被連結部３１３には、ピン３２２ａが挿入される係合孔３１３ａが設けられている。したがって、短尺設置棒３２の回転操作は、先端設置棒３１に確実に伝達される。
【００４０】
次に、このような構成の伐採用ワイヤ取付け装置１を利用した樹木Ｗの伐採作業について説明する。作業者は、伐採用ワイヤ取付け装置１を山間部の送電線近傍まで運び込み、ワイヤ取付けユニット２に先端設置棒３１を連結し、樹高に応じた本数の短尺設置棒３２を先端設置棒３１に連結する。
【００４１】
樹高がそれほど高くない場合には、ワイヤ取付けユニット２のワイヤ接続部２５にワイヤ５の先端フック６を接続する。樹高が高く、ワイヤ５の重量が作業性に影響を及ぼすおそれがある場合には、ワイヤ接続部２５に先端フック６を接続せずに、ロープ挿通部２７にワイヤ５が連結されたロープ７を挿通させ、ワイヤ取付けユニット２の装着後にワイヤ５の接続を行う。
【００４２】
作業者は、図６（Ａ）に示すように、設置棒３を把持してワイヤ取付けユニット２を樹木Ｗの上部まで持ち上げ、開口部２１１から樹木Ｗの幹を本体部２１の円弧内に挿入する。次いで、本体部２１の開口部２１１を閉じるために設置棒３を回転操作する。設置棒３の回転は、伝達部材４を介して駆動ギヤ２３１に伝達され、駆動ギヤ２３１の回転によって開閉部材２２が開放位置から閉塞位置へと移動し、開口部２１１が閉じられる。
【００４３】
その後、作業者は、ワイヤ５を牽引して突起２１２を樹木Ｗの幹に食い込ませ、その状態でワイヤ取付けユニット２から設置棒３を抜き取る。そして、樹木Ｗの伐採中にワイヤ５を牽引して安全な伐倒方向へ倒れるように誘導する。
【００４４】
このように、この伐採用ワイヤ取付け装置１によれば、円弧状に湾曲させて開口部２１１を形成した本体部２１を、その開口部２１１を利用して樹木Ｗの幹の外周へ装着するようにしたので、ハサミのようなフック部材で樹木Ｗの幹を挟み込んで保持するようにした従来のものに比べ、より簡単に装着することができる。また、本体部２１に収容された円弧形状の開閉部材２２を開閉機構２３によって移動させて開口部２１１を開閉するようにしたので、樹木Ｗの周囲に大きな作業スペースは不要であり、枝が多い樹木や偏心木であっても幹の適切な位置に装着することが可能である。さらに、開閉部材２２を閉塞位置でロックするロック部材２４を設けたので、樹木Ｗの牽引中に開閉部材２２が不用意に開放位置へ移動するのを防ぐことが可能である。また、ワイヤ５が着脱自在なワイヤ接続部２５を備えるので、樹木Ｗの大きさなどに応じて適切な太さ、長さのワイヤ５を接続することができ、伐採作業の安全性が向上する。さらにまた、ワイヤ取付けユニット２を伐採される樹木Ｗの幹の上部へ装着するための設置棒３を設けたので、樹高の高い樹木Ｗでも地上からワイヤ５を取り付けることが可能である。
【００４５】
また、開閉機構２３として、開閉部材２２の外周面に設けられた従動ギヤ２２１と、従動ギヤ２２１に噛合する駆動ギヤ２３１と、設置棒３を把持した作業者がその手元側で駆動ギヤ２３１を操作するための操作手段とを備えているので、地上から樹木Ｗの上部に装着されたワイヤ取付けユニット２の開閉部材２２を操作することができ、伐採作業の安全性が向上する。また、従動ギヤ２２１、駆動ギヤ２３１、操作手段という簡略な部品を利用し、かつ、少ない部品数で構成されているので、故障などの発生も抑えることが可能である。
【００４６】
さらに、操作手段として、ワイヤ取付けユニット２に軸周りで回転自在に装着される設置棒３と、設置棒３の回転を駆動ギヤ２３１に伝達する伝達部材４とから構成したので、設置棒３を利用してワイヤ取付けユニット２を樹木Ｗの幹の上部へ装着した後、そのまま設置棒３から持ち替えることなく開閉部材２２の操作を行うことができ、作業性が大幅に向上する。
【００４７】
また、ワイヤ接続部２５の上方に、ワイヤ５の先端フック６に連結されたロープ７が挿通されるロープ挿通部２７を設け、このロープ挿通部２７を利用して、ワイヤ取付けユニット２を樹木Ｗの幹の上部へ装着した後から、先端フック６をワイヤ接続部２５に接続できるようにしたので、ワイヤ取付けユニット２を樹木Ｗの上部まで持ち上げる際には、ワイヤ５と先端フック６との重量分だけ軽減することが可能になり、作業性が大幅に向上する。
【００４８】
さらに、本体部２１は、ワイヤ５によって牽引される牽引方向Ｔと反対側の方向の内周面に樹木Ｗに食い込む突起２１２が設けられているので、本体部２１を樹木Ｔの幹の外周面にしっかりと装着させることが可能である。また、牽引方向Ｔと略直行する方向に開口部２１１が設けられているので、樹木Ｗの牽引中に何らかの異常で開閉部材２２が移動して開口部２１１が開放された場合でも、樹木Ｗが本体部２１から抜け出てしまうような事態は発生せず、伐採作業の安全性が向上する。
【００４９】
また、設置棒３を軸方向に連結可能な複数本の短尺設置棒３２から構成したので、樹高に応じて設置棒３の長さを調整することができ、作業性、取り扱い性が向上する。
【００５０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、開閉機構２３の操作手段として、設置棒３および伝達部材４を用いたが、これらに代えて、図７に示すように、筒状部２６の側面に回転自在に支持されたスプロケット８１と、スプロケット８１に掛け回されたチェーン８２とを用いてもよい。スプロケット８１は、図示しない歯車列などによって駆動ギヤ２３１と連係されており、作業者がチェーン８２を引いてスプロケット８１を回転させると、その回転が歯車列を介して駆動ギヤ２３１に伝達され、開閉部材２２が移動する。このように、開閉機構２３の操作手段は、設置棒３に限定されるものではなく、設置棒３の手元側で操作可能なものであれば、各種形態を採用することが可能である。
【符号の説明】
【００５１】
１                伐採用ワイヤ取付け装置
２                ワイヤ取付けユニット
２１              本体部
２１ａ            収容空間
２１１            開口部
２１２            突起
２２              開閉部材
２２１            従動ギヤ
２３              開閉機構
２３１            駆動ギヤ
２４              ロック部材
２５              ワイヤ接続部
２６              筒状部
２７              ロープ挿通部
３                設置棒
３１              先端設置棒
３２              短尺設置棒
４                伝達部材
５                ワイヤ
６                ワイヤフック
７                ロープ
８１              スプロケット
８２              チェーン
【図１】
2019208399.tif 000003
【図２】
2019208399.tif 000004
【図３】
2019208399.tif 000005
【図４】
2019208399.tif 000006
【図５】
2019208399.tif 000007
【図６】
2019208399.tif 000008
【図７】
2019208399.tif 000009